(57)【要約】  予め形成されたステータ巻線を受け入れるための発電電動機械ステータコアが、シリンダ状コアメイン周面を画成するコア本体を含んでいる。複数の軸線方向に延びるステータスロットが、コア本体において周方向に離間している。ステータスロットのそれぞれが、スロット基部からスロット中間径方向位置まで径方向に延びるスロット第１セクションと、スロット中間径方向位置からコアメイン周面の方へ径方向に延びるスロット第２セクションとを画成している。スロット第１及び第２セクションが、互いに連通し、かつ、互いに対して周方向にオフセットされている。スロット第１及び第２セクションが、その中へのステータ巻線の対応する導体セクションの挿入を容易にするように配置され、構成され、かつサイズ設定されていて、該導体セクションを変形させる必要性を減少させる。
2007512797.tif 000002
【特許請求の範囲】
【請求項１】
ステータ巻線を受け入れるための発電電動機械ステータコアにおいて、
前記ステータコアは：
−  一対の軸線方向に対向するコア端面と前記コア端面の間に延びる略シリンダ状コアメイン周面とを画成するコア本体と；
−  前記コア本体において周方向に離間した、複数の略軸線方向に延びるステータスロットであって、前記ステータスロットは、前記コアメイン周面の方へ略径方向に突出する介在歯を画成し、前記ステータスロットのそれぞれは、対応するスロット基部から前記コアメイン周面まで径方向に延びるように構成されたステータスロットと；
を備え、
前記ステータスロットのそれぞれは、
−  前記スロット基部から、前記スロット基部及び前記コアメイン周面の中間に配置されたスロット中間径方向位置まで径方向に延びるスロット第１セクションと；
−  前記スロット中間径方向位置に略隣接するところから前記コアメイン周面の方へ径方向に延びるスロット第２セクションと；
を画成し、
前記スロット第１及び第２セクションは、
−  互いに連通し、かつ、互いに対して周方向にオフセットされた関係とされ、
−  前記ステータ巻線の対応する導体セクションの挿入を容易にするように配置され、構成され、かつサイズ設定されて、前記対応する導体セクションを変形させる必要性を減少させている、
ことを特徴とするステータコア。
【請求項２】
請求項１に記載のステータコアにおいて、
前記スロット第１及び第２セクションは、約０．２１度のオフセット角度によって、互いに対して周方向にオフセットされていることを特徴とするステータコア。
【請求項３】
請求項１に記載のステータコアにおいて、
前記スロット第１及び第２セクションは両方とも、略径方向に延び、前記ステータスロットのそれぞれは、前記スロット第１及び第２セクション間に延びるスロット中間セクションをさらに画成し、前記スロット中間セクションは、前記スロット第１及び第２セクションに対して実質的に所定の角度をなすように延びていることを特徴とするステータコア。
【請求項４】
請求項１に記載のステータコアにおいて、
前記スロット第１セクションは、略長方形の断面構造を有し、前記スロット第１セクションは、略フラットスロット基部壁と略フラット第１セクション第１壁と略フラット第１セクション第２壁とを画成し、前記第１セクション第１及び第２壁は両方とも、略径方向に延びて、前記スロット基部壁に対して略垂直となる関係とされていることを特徴とするステータコア。
【請求項５】
請求項１に記載のステータコアにおいて、
前記スロット第２セクションは、略長方形の断面構造を有し、前記スロット第２セクションは、略フラット第２セクション第１壁と略フラット第２セクション第２壁とを画成し、前記第２セクション第１及び第２壁は両方とも、略径方向に延びて、前記スロット基部壁に対して略垂直となる関係とされていることを特徴とするステータコア。
【請求項６】
請求項１に記載のステータコアにおいて、
−  前記スロット第１セクションは、略長方形の断面構造を有し、前記スロット第１セクションは、略フラットスロット基部壁と略フラット第１セクション第１壁と略フラット第１セクション第２壁とを画成し、前記第１セクション第１及び第２壁は両方とも、略径方向に延びて、前記スロット基部壁に対して略垂直となる関係とされ；
−  前記スロット第２セクションは、略長方形の断面構造を有し、前記スロット第２セクションは、略フラット第２セクション第１壁と略フラット第２セクション第２壁とを画成し、前記第２セクション第１及び第２壁は両方とも、略径方向に延びて、前記スロット基部壁に対して略垂直となる関係とされている；
ことを特徴とするステータコア。
【請求項７】
請求項６に記載のステータコアにおいて、
前記第１及び第２セクション第１壁は、約０．０２７６インチの第１周方向オフセット距離によって互いに対してオフセットされていることを特徴とするステータコア。
【請求項８】
請求項６に記載のステータコアにおいて、
前記第１及び第２セクション第２壁は、約０．０２７６インチの第２周方向オフセット距離によって互いに対してオフセットされていることを特徴とするステータコア。
【請求項９】
請求項６に記載のステータコアにおいて、
前記第１及び第２セクション第１壁は、約０．０２７６インチの第１周方向オフセット距離によって互いに対してオフセットされ、前記第１及び第２セクション第２壁は、約０．０２７６インチの第２周方向オフセット距離によって互いに対してオフセットされていることを特徴とするステータコア。
【請求項１０】
請求項６に記載のステータコアにおいて、
−  第１中間壁セグメントが、前記第１及び第２セクション第１壁の間に延び；
−  第２中間壁セグメントが、前記第１及び第２セクション第２壁の間に延び；
−  前記第１及び第２中間壁セグメントは、前記第１及び第２セクション第１壁と前記第１及び第２セクション第２壁とのそれぞれに対して、中間セグメント−壁角度により、角度を付けられている；
ことを特徴とするステータコア。
【請求項１１】
請求項１０に記載のステータコアにおいて、
前記中間セグメント−壁角度は、約１３５度の値を有していることを特徴とするステータコア。
【請求項１２】
請求項１０に記載のステータコアにおいて、
前記第１及び第２中間壁セグメントは、径方向オフセット距離によって互いに対して径方向にオフセットされていることを特徴とするステータコア。
【請求項１３】
請求項１２に記載のステータコアにおいて、
前記径方向オフセット距離は、前記第２セクション第１壁と前記第１中間壁セグメントとの間の交差部が、前記第１セクション第２壁と前記第２中間壁セグメントとの間の交差部に略径方向で見当合わせされるようにしていることを特徴とするステータコア。
【請求項１４】
請求項１０に記載のステータコアにおいて、
前記第１及び第２中間壁セグメントは、略径方向で互いに対して見当合わせされていることを特徴とするステータコア。
【請求項１５】
請求項１に記載のステータコアにおいて、
前記ステータスロット内の対応するステータ巻線セクションを径方向に保持するために、前記ステータスロットのうちの少なくとも１つに作動可能に結合される保持手段をさらに備えていることを特徴とするステータコア。
【請求項１６】
請求項１５に記載のステータコアにおいて、
前記保持手段は、保持プレートを含み、前記保持プレートは、対応するステータスロット内に略軸線方向に延びるように取り付け可能とされ、前記対応する巻線セクションが、前記スロット基部と前記保持プレートとの間に配置可能となっていることを特徴とするステータコア。
【請求項１７】
請求項１６に記載のステータコアにおいて、
前記スロット第２セクションは、前記コアメイン周面に隣接して配置された保持セグメントを画成し、前記保持セグメントは、前記保持プレートの周辺部分を受け入れて保持するための、そこに形成された保持溝を有していることを特徴とするステータコア。
【請求項１８】
請求項１７に記載のステータコアにおいて、
−  前記スロット第１セクションは、略長方形の断面構造を有し、前記スロット第１セクションは、略フラットスロット基部壁と略フラット第１セクション第１壁と略フラット第１セクション第２壁とを画成し、前記第１セクション第１及び第２壁は両方とも、略径方向に延びて、前記スロット基部壁に対して略垂直となる関係とされ；
−  前記スロット第２セクションは、略フラット第２セクション第１壁と略フラット第２セクション第２壁とを画成し、前記第２セクション第１及び第２壁は両方とも、略径方向に延びて、前記スロット基部壁に対して略垂直となる関係とされ；
−  前記保持セグメントは、略フラット保持セクション第１壁と周方向に対向する略フラット保持セクション第２壁とを画成し、前記保持溝は、前記保持セクション第１壁に形成された第１溝セグメントと前記保持セクション第２壁に形成された第２溝セグメントとを有している；
ことを特徴とするステータコア。
【請求項１９】
請求項１８に記載のステータコアにおいて、
前記保持セクション第１壁は、前記第１セクション第１壁に略周方向で見当合わせされ、前記保持セクション第２壁は、前記第２セクション第２壁に略周方向で見当合わせされていることを特徴とするステータコア。
【請求項２０】
請求項１９に記載のステータコアにおいて、
前記第１溝セグメントは、前記第２セクション第１壁に一体的に結合していることを特徴とするステータコア。
【請求項２１】
請求項２０に記載のステータコアにおいて、
前記第１及び第２溝セグメントは両方とも、前記コアメイン周面の方へ導かれる方向で内方側にテーパ状とされていることを特徴とするステータコア。
【請求項２２】
請求項１に記載のステータコアにおいて、
前記コアメイン周面は、径方向外方側に配置されていることを特徴とするステータコア。
【請求項２３】
請求項１に記載のステータコアにおいて、
−  前記スロット第１セクションは、略長方形の断面構造を有し、前記スロット第１セクションは、略フラットスロット基部壁と略フラット第１セクション第１壁と略フラット第１セクション第２壁とを画成し、前記第１セクション第１及び第２壁は両方とも、略径方向に延びて、前記スロット基部壁に対して略垂直となる関係とされ；
−  前記スロット第２セクションは、略長方形の断面構造を有し、前記スロット第２セクションは、略フラット第２セクション第１壁と略フラット第２セクション第２壁とを画成し、前記第２セクション第１及び第２壁は両方とも、略径方向に延びて、前記スロット基部壁に対して略垂直となる関係とされ；
−  前記第１及び第２セクション第１及び第２壁は、略共通のかつ略径方向に方向付けられたセクション高さを画成し；
−  前記第１セクション第１及び第２壁と、前記第２セクション第１及び第２壁とは、それらの間にそれぞれ、略周方向に方向付けられた第１−２壁間隔を画成し；
−  前記セクション高さと前記第１−２間隔とは、約１．２３の値を有する高さ−間隔比率によって互いに関連している；
ことを特徴とするステータコア。
【請求項２４】
請求項２３に記載のステータコアにおいて、
前記第１−２壁間隔は、約０．２２８４インチの値を有していることを特徴とするステータコア。
【請求項２５】
請求項２４に記載のステータコアにおいて、
前記ステータスロットのそれぞれは、前記スロット基部と前記コアメイン周面との間の対応するスロット深さを画成し、前記スロット深さは、約０．７１１９インチの値を有していることを特徴とするステータコア。
【請求項２６】
請求項２５に記載のステータコアにおいて、
−  第１中間壁セグメントが、前記第１及び第２セクション第１壁の間に延び；
−  第２中間壁セグメントが、前記第１及び第２セクション第２壁の間に延び；
−  前記第１及び第２中間壁セグメントは、前記第１及び第２セクション第１壁と前記第１及び第２セクション第２壁とのそれぞれに対して、中間セグメント−壁角度により、角度を付けられ；
−  前記第１及び第２中間壁セグメントは、約０．０５５２インチの中間壁セグメント径方向距離にわたっている；
ことを特徴とするステータコア。
【請求項２７】
請求項２６に記載のステータコアにおいて、
前記スロット第２セクションは、前記コアメイン周面に隣接して配置された保持セグメンを画成し、前記保持セグメントは、前記保持プレートの周辺部分を受け入れて保持するための、そこに形成された保持溝を有していることを特徴とするステータコア。
【請求項２８】
請求項２５に記載のステータコアにおいて、
−  前記ステータコアは、軸線方向に延びるステータ中心軸線を画成し；
−  前記コアメイン周面は、径方向外方側に配置され；
−  前記ステータコアは、径方向で最も内側にある略シリンダ状コア補助周面をさらに画成し、前記コア端面のそれぞれは、略環状構造を有し；
−  前記コアメイン周面は、前記ステータ中心軸線から約７．９０３１インチの外側径方向距離で配置され；
−  前記コア補助周面は、前記ステータ中心軸線から約６．７９１３インチの内側径方向距離で配置されている；
ことを特徴とするステータコア。
【請求項２９】
ステータ巻線を受け入れるための発電電動機械ステータコアにおいて、
前記ステータコアは：
−  一対の軸線方向に対向するコア端面と前記コア端面の間に延びる略シリンダ状コアメイン周面とを画成するコア本体と；
−  前記コア本体において周方向に離間した、複数の略軸線方向に延びるステータスロットであって、前記ステータスロットは、前記コアメイン周面の方へ略径方向に突出する介在歯を画成し、前記ステータスロットのそれぞれは、対応するスロット基部から前記コアメイン周面まで径方向に延びるように構成されたステータスロットと；
を備え、
前記ステータスロットのそれぞれは、
−  径方向で最も内側のスロット基部壁と；
−  前記スロット基部壁から前記コアメイン周面の方へ略垂直に延び、周方向で対向する第１セクション第１及び第２壁と；
−  前記第１セクション第１及び第２壁からそれぞれ延びて、前記第１セクション第１及び第２壁に対して所定の角度をなす第１及び第２中間壁セグメントと；
−  第１及び第２中間壁セグメントからそれぞれ延びて、前記第１セクション第１及び第２壁のそれぞれに対して略平行にかつ略周方向にオフセットされた関係をなす第２セクション第１及び第２壁と；
を画成し、
−  前記第２セクションは、前記コアメイン周面に隣接して配置された保持セグメントを画成し、前記保持セグメントは、前記保持プレートの周辺部分を受け入れて保持するための、そこに形成された保持溝を有している；
ことを特徴とするステータコア。
【請求項３０】
請求項２９に記載のステータコアにおいて、
前記保持セグメントは、略フラット保持セクション第１壁と周方向に対向する略フラット保持セクション第２壁とを画成し、前記保持溝は、前記保持セクション第１壁に形成された第１溝セグメントと前記保持セクション第２壁に形成された第２溝セグメントとを有していることを特徴とするステータコア。
【請求項３１】
請求項３０に記載のステータコアにおいて、
前記保持セクション第１壁は、前記第１セクション第１壁に略周方向で見当合わせされ、前記保持セクション第２壁は、前記第２セクション第２壁に略周方向で見当合わせされていることを特徴とするステータコア。
【請求項３２】
ステータ巻線を受け入れるための発電電動機械ステータコアにおいて、
前記ステータコアは：
一対の軸線方向に対向するコア端面と前記コア端面の間に延びる略シリンダ状コアメイン周面とを画成するコア本体と；
前記コア本体において延び、複数の周方向に離間したステータスロットであって、前記ステータスロットは、前記コアメイン周面の方へ略径方向に突出する介在歯を画成し、前記ステータスロットのそれぞれは、対応するスロット基部から前記コアメイン周面まで径方向に延び、前記ステータスロットのそれぞれは、第１スロット壁及び第２スロット壁を画成し、該第１スロット壁及び第２スロット壁は両方とも、互いに対して略平行であるとともに略周方向に離間した関係で、前記コア本体内へ略径方向に延び、前記第１スロット壁は、前記コアメイン周面に略隣接して配置された周方向に凹んだ第１壁凹所を有し、前記第２スロット壁は、前記スロット基部に略隣接して配置された周方向に凹んだ第２壁凹所を有するように構成されたステータスロットと；
を備えていることを特徴とするステータコア。
【請求項３３】
請求項３２に記載のステータコアにおいて、
前記第１壁凹所は、第１壁保持セクションによって前記コアメイン周面から離間していることを特徴とするステータコア。
【請求項３４】
請求項３３に記載のステータコアにおいて、
前記第１壁保持セクションは、前記スロット第１壁の残りに略周方向で見当合わせされていることを特徴とするステータコア。
【請求項３５】
請求項３２に記載のステータコアにおいて、
前記第１壁凹所と前記第２壁凹所とは、第１及び第２中間壁セグメントのそれぞれによって、前記第１及び第２スロット壁の残りのそれぞれに対して径方向かつ周方向に離間していることを特徴とするステータコア。
【請求項３６】
請求項３２に記載のステータコアにおいて、
前記スロット第１及び第２壁は、前記第１壁凹所と前記コアメイン周面との間に配置される径方向位置で、そこにそれぞれ形成された第１保持スロットセグメントと第２保持スロットセグメントとをそれぞれ備え、前記ステータコアはまた、前記ステータスロットに交差して軸線方向かつ横方向に延びるように前記第１及び第２保持スロットに挿入可能な保持プレートを含んでいることを特徴とするステータコア。
【請求項３７】
発電電動機械において：
−  強磁性材料からなるコア本体であって、前記コア本体は、一対の軸線方向に対向するコア端面と前記コア端面の間に延びる略シリンダ状コアメイン周面とを画成するように構成されたコア本体と、
−  前記コア本体において周方向に離間した、複数の略軸線方向に延びるステータスロットであって、前記ステータスロットは、前記コアメイン周面の方へ略径方向に突出する介在歯を画成し、前記ステータスロットのそれぞれは、対応するスロット基部から前記コアメイン周面まで径方向に延び、前記ステータスロットのそれぞれは、前記スロット基部から、前記スロット基部及び前記コアメイン周面の中間に配置されたスロット中間径方向位置まで径方向に延びるスロット第１セクションと、前記スロット中間径方向位置に略隣接するところから前記コアメイン周面の方へ径方向に延びるスロット第２セクションとを画成し、前記スロット第１及び第２セクションは、互いに連通し、かつ、互いに対して周方向にオフセットされた関係とされるように構成されたステータスロットと、
を有するステータと；
−  前記ステータスロットに埋設されたステータ巻線と；
−  強磁性材料からなり、前記コアメイン周面と前記ロータとの間に略シリンダ状ステータ−ロータギャップを画成するように配置されたロータであって、前記ロータは、前記ステータに対する回転移動のために支持され、前記ロータは、前記ステータ巻線にエネルギーが与えられたときに前記ステータ−ロータギャップに生じる磁場と相互作用するための導電手段を含むように構成されたロータと；
を備え、
−  それにより、前記スロット第１及び第２セクションは、前記ステータ巻線の対応する導体セクションの挿入を容易にするように配置され、構成され、かつサイズ設定されて、前記対応する導体セクションを変形させる必要性を減少させている、
ことを特徴とする発電電動機械。
【請求項３８】
請求項３７に記載の発電電動機械において、
前記ロータは、前記ステータに対して径方向外側に配置されていることを特徴とする発電電動機械。
【請求項３９】
請求項３８に記載の発電電動機械において、
前記ステータ巻線は、複数の巻線セクションを含み、前記巻線セクションのそれぞれは、
−  略長方形断面の２つの平行な導体側部であって、前記ステータスロットのうちの２つにそれぞれ嵌り込むように構成され、かつサイズ設定されていて、平面を画成する導体側部と；
−  前記導体側部の２つの隣接する端部を接続する略長方形断面の少なくとも１つの導体頭部と；
を含んでいることを特徴とする発電電動機械。
【請求項４０】
請求項３９に記載の発電電動機械において、
前記少なくとも１つの導体頭部は、前記平面に垂直な上面図から見たときに、略「Ｕ」字形状の本体を示し、前記平面に含まれる正面図から見たときに、略水平に配置された「Ｓ」の形をなす略波型形状を示していることを特徴とする発電電動機械。
【請求項４１】
請求項４０に記載の発電電動機械において、
前記少なくとも１つの導体頭部は、頂部及び底部対向表面を有し、前記頂部表面は、前記平面のうちの一方側のみを向き、前記底部表面は、その反対側のみを向いていることを特徴とする発電電動機械。
【請求項４２】
類似したラミネーションプレートに位置合わせされかつスタックされたときに、発電電動機械の一部分であるステータのステータコアを形成するためのラミネーションプレートにおいて、
前記ラミネーションプレートは：
−  強磁性材料からなるプレート本体であって、前記プレート本体は、一対の軸線方向に対向するプレート端面と前記プレート端面の間に延びる略環状プレートメイン周面とを画成するように構成されたプレート本体と；
−  前記プレート本体において周方向に離間した、複数の略軸線方向に延びるステータスロットであって、前記ステータスロットは、前記プレートメイン周面の方へ略径方向に突出する介在歯を画成し、前記ステータスロットのそれぞれは、対応するスロット基部から前記プレートメイン周面まで径方向に延びるように構成されたステータスロットと；
を備え、
前記ステータスロットのそれぞれは、
−  前記スロット基部から、前記スロット基部及び前記プレートメイン周面の中間に配置されたスロット中間径方向位置まで径方向に延びるスロット第１セクションと；
−  前記スロット中間径方向位置に略隣接するところから前記プレートメイン周面の方へ径方向に延びるスロット第２セクションと；
を画成し、
−  前記スロット第１及び第２セクションは、互いに連通し、かつ、互いに対して周方向にオフセットされた関係とされている、
ことを特徴とするラミネーションプレート。
【請求項４３】
ステータ巻線の導体セクション部分を発電電動機械のステータコアに取り付けるための方法において、
前記導体セクションは、２つの略平行な導体側部と前記導体側部の２つの隣接する端部を接続する少なくとも１つの導体頭部とを有し；
前記ステータコアは、一対の軸線方向に対向するコア端面と前記コア端面の間に延びる略シリンダ状コアメイン周面とを画成し；
少なくとも２つの周方向に離間したステータスロットが、前記コア本体において略軸線方向に延び、前記ステータスロットは、前記コアメイン周面の方へ略径方向に突出する介在歯を画成し；
前記ステータスロットのそれぞれは、対応するスロット基部から前記コアメイン周面まで径方向に延び、前記ステータスロットのそれぞれは、前記スロット基部から、前記スロット基部及び前記コアメイン周面の中間に配置されたスロット中間径方向位置まで径方向に延びるスロット第１セクションと、前記スロット中間径方向位置に略隣接するところから前記コアメイン周面の方へ径方向に延びるスロット第２セクションと、を画成し、前記スロット第１及び第２セクションは、互いに連通し、かつ、互いに対して周方向にオフセットされた関係とされ；
前記導体側部の周方向で対向する側面間の距離は、前記少なくとも２つのステータスロットの周方向に隣接する側面間の距離よりも小さく；
前記方法は：
−  前記導体セクションを実質的に変形させることなく、前記導体側部の第１方を前記ステータスロットの第１方における前記スロット第１セクション内に挿入し、前記導体側部の第２方を前記ステータスロットの第２方における前記スロット第２セクション内に挿入するように、前記導体セクションを操作するステップ、
を備えていることを特徴とする方法。
【請求項４４】
請求項４３に記載の方法において、
前記導体セクションを操作するステップは：
−  前記導体側部の前記第１方を前記ステータスロットの対応する第１方に部分的に挿入するステップと；
−  前記導体セクションを前記導体側部の前記第１方に関して旋回させるステップであって、前記導体側部の前記第１方が前記ステータスロットの第１方における前記スロット第２セクション内にスライドすることを許容し、かつ、前記導体セクションの前記第２方が前記ステータスロットの第２方に周方向で見当合わせされることを許容するようにするステップと；
−  前記導体セクションの前記第１方が前記ステータスロットの前記第１方における前記スロット第１セクションに位置し、前記導体セクションの前記第２方が前記ステータスロットの前記第２方における前記スロット第２セクションに位置するまで、前記導体セクションを略径方向に並進させるステップと；
を含んでいることを特徴とする方法。
【発明の詳細な説明】
【技術分野】
【０００１】
本発明は、発電電動機械の一般的な分野に関するものであり、特に、ステータスロット構造とそのようなステータスロット構造を有するステータスロットに予め巻かれたコイルを取り付けるための方法とに関するものである。
【背景技術】
【０００２】
電動モータ、交流発電機などのような発電電動機械は、一般に、回転フィールドが回転可能に取り付けられた環状ステータを有するように構成されている。ステータ構成は、一般に、周方向に分散するとともに軸線方向に延びるステータスロットを有した環状磁気コアを含んでいる。ステータ巻線は、磁極ピッチの距離にわたるコイルからなり、フェーズ接続にしたがうグループを形成するように互いに接続されている。
【０００３】
いくつかの場合、外部ロータに対してステータが内部に配置されることは有利である。例えば、Coutureによる１９９４年１０月７日に発行された「ELECTRICLALY MOTORIZED WHEEL ASSEMBLY」という名称の特許文献１は、外部ロータを有するロータ−ホイールを開示している。
【０００４】
２つの基本的に異なる巻線技術が、発電電動機械の製造において利用されている。第１の巻線技術では、特定のコイルが、磁気コアに関連する所定位置において巻かれて形成される。所定の数の導体ターンを有したコイルを製作するため、一般には１つの、時には２つ以上の相対的にフレキシブルな導体が、通常は機械により、一方の軸線方向において一方のコアスロットを下り、そして他方の軸線方向において他方のコアスロットを通して戻るように連続的に複数回導かれる。代替的に、フレキシブルな導体のコイルは、機械巻線を提供するようにコアスロット内の所定位置に形成される所望のコイルを提供するために、まずボビンのまわりに巻かれる。
【０００５】
そのような第１の巻線技術の重要な特性は、隣接する導体間の表面摩擦のみによって導体間の相対移動が主に拘束されるという意味において個々の導体ストランドが本質的に独立して機能するために、個々の導体がボールワイヤのようにフレキシブルとされる一方、コイル自体は直ちに変形可能であるが、形成されたコイルが導体のコンパクトな束とされうることである。
【０００６】
そのような導体における巻線は、一般に、巻かれた銅あるいはアルミニウムワイヤであって、薄い樹脂フィルムを有するか、あるいは、磁石ワイヤと一般に称されるものを提供するための絶縁材料の積巻きを有している。この第１の技術による巻線を有する機械は、しばしば、「マッシュ（mush）」あるいは「ランダム（random）」に巻かれた機械として特徴付けられる。
【０００７】
いくつかの状況では、絶縁の要求あるいは他の制約のため、いわゆる「形成された（formed）」コイルを使用する第２の巻線技術を用いることが望ましい。この第２の技術では、コイルは、コアスロット内への挿入の前に予め形成されており、構成される機械は、しばしば、「形成された巻かれた機械（formed wound machines）」として特徴付けられる。典型的な形成されたコイルにおける導体は、銅あるいはアルミニウムからなる略長方形断面を有するバーあるいはストリップであり、一般には、ファブリック、雲母材料、及び／または樹脂組成物の複数の層の形態をなして、導体絶縁をもたらす。
【０００８】
コイルは、そのような導体によって巻かれた後に、導体を結合してその後におけるそれらの間のどんな相対移動をも厳密に拘束するコイル絶縁体でカバーされる。したがって、「形成された（formed）」コイルは、そのようなコイル絶縁体を用いていない典型的な「ランダムな（randam）」コイルに対して、実質的に剛体構造である。
【０００９】
「形成された巻かれた機械（formed wound machine）」の典型的な一例は、Coutureらによる１９９８年２月３日に発行された「CONDUCTOR SECTION FOR A STATOR FRAME OF A POLYPHASE DYNAMOELECTRIC MACHINE」という名称の特許文献２に開示されている。この特許文献２は、２つの導体を互いに接続する略Ｕ字形状の頭部を備えた２つの平行な略長方形の導体からなる導体セクションを開示している。そのような「形成された巻かれた機械（formed wound machines）」のステータスロットは、一般に、断面が長方形とされている。
【００１０】
そのような「形成された巻かれた機械」の製造に関連する共通の問題は、絶縁体に損傷を与えて潜在的に短絡などを生じさせるリスクを減少させるようにコイルを歪めたり変形させることなく、ステータスロット内に予め形成されたコイルあるいは巻線を挿入することの困難性に関している。この問題は、特許文献２によって例示されているように、ステータが内部にあって、外方側に突出する、したがって径方向外方側に扇形に広がるステータスロットを有しているという状況において悪化する。実際、２つのスロットの径方向外方側の開口部が、同一の２つのスロットの径方向内方側に配置された開口部よりも大きな距離とされているため、従来の予め形成されたコイルの挿入が、本質的に少なくとも一時的なコイルの変形を要求する。
【００１１】
したがって、改良された発電電動機械ステータの必要性と、予め巻かれたコイルをそれに取り付けるための改良された方法の必要性とが、存在している。
【特許文献１】米国特許第５，３５５，０３９号明細書
【特許文献２】米国特許第５，７１４，８２５号明細書
【発明の開示】
【発明が解決しようとする課題】
【００１２】
それゆえ、本発明の主な目的は、そのような改良された発電電動機械ステータと、予め巻かれたコイルをそれに取り付けるための方法とを提供することである。
【課題を解決するための手段】
【００１３】
本発明の利点は、提案された発電電動機械ステータが、予め巻かれたコイルあるいは巻線の挿入を許容するスロットを備えていて、コイルあるいは巻線を歪めるかあるいはさもなければ変形させるための必要性を減少させるかあるいはなくすことである。したがって、提案された発電電動機械ステータのステータスロットは、本質的に、コイルの絶縁体に損傷を与えるリスクを減少させ、それゆえ、潜在的に短絡を生じさせるリスクを減少させる。
【００１４】
さらにまた、提案された発電電動機械ステータは、工具あるいは手による巧みさを必要とすることなく、一組の相対的に素早くかつ人間工学的なステップを通じて、予め形成されたコイルの挿入を許容するスロットを備えている。さらにまた、提案された発電電動機械ステータは、オプションとして自動化されうるステップを通じて、予め巻かれたコイルの挿入を許容するステータスロットを備えている。
【００１５】
本発明によれば、発電電動機械ステータのステータスロットに予め巻かれたコイルを取り付けるための提案された方法は、経済的に実現可能な発電電動機械ステータの製造を可能にする。
【００１６】
本発明の１つの観点によれば、ステータ巻線を受け入れるための発電電動機械ステータコアにおいて、ステータコアは：一対の軸線方向に対向するコア端面とコア端面の間に延びる略シリンダ状コアメイン周面とを画成するコア本体と；コア本体において周方向に離間した、複数の略軸線方向に延びるステータスロットであって、ステータスロットは、コアメイン周面の方へ略径方向に突出する介在歯を画成し、ステータスロットのそれぞれは、対応するスロット基部からコアメイン周面まで径方向に延びるように構成されたステータスロットと；を備え、ステータスロットのそれぞれは、スロット基部から、スロット基部及びコアメイン周面の中間に配置されたスロット中間径方向位置まで径方向に延びるスロット第１セクションと；スロット中間径方向位置に略隣接するところからコアメイン周面の方へ径方向に延びるスロット第２セクションと；を画成し、スロット第１及び第２セクションは、互いに連通し、かつ、互いに対して周方向にオフセットされた関係とされ、ステータ巻線の対応する導体セクションの挿入を容易にするように配置され、構成され、かつサイズ設定されて、対応する導体セクションを変形させる必要性を減少させている、ことを特徴とするステータコア、が提供される。
【００１７】
本発明の他の観点によれば、ステータ巻線を受け入れるための発電電動機械ステータコアにおいて、ステータコアは：一対の軸線方向に対向するコア端面とコア端面の間に延びる略シリンダ状コアメイン周面とを画成するコア本体と；コア本体において周方向に離間した、複数の略軸線方向に延びるステータスロットであって、ステータスロットは、コアメイン周面の方へ略径方向に突出する介在歯を画成し、ステータスロットのそれぞれは、対応するスロット基部からコアメイン周面まで径方向に延びるように構成されたステータスロットと；を備え、ステータスロットのそれぞれは、径方向で最も内側のスロット基部壁と；スロット基部壁からコアメイン周面の方へ略垂直に延び、周方向で対向する第１セクション第１及び第２壁と；第１セクション第１及び第２壁からそれぞれ延びて、前記第１セクション第１及び第２壁に対して所定の角度をなす第１及び第２中間壁セグメントと；第１及び第２中間壁セグメントからそれぞれ延びて、第１セクション第１及び第２壁のそれぞれに対して略平行にかつ略周方向にオフセットされた関係をなす第２セクション第１及び第２壁と；を画成し、第２セクションは、コアメイン周面に隣接して配置された保持セグメントを画成し、保持セグメントは、保持プレートの周辺部分を受け入れて保持するための、そこに形成された保持溝を有している；ことを特徴とするステータコア、が提供される。
【００１８】
本発明のさらなる観点によれば、ステータ巻線を受け入れるための発電電動機械ステータコアにおいて、ステータコアは：一対の軸線方向に対向するコア端面とコア端面の間に延びる略シリンダ状コアメイン周面とを画成するコア本体と；コア本体において延び、複数の周方向に離間したステータスロットであって、ステータスロットは、コアメイン周面の方へ略径方向に突出する介在歯を画成し、ステータスロットのそれぞれは、対応するスロット基部からコアメイン周面まで径方向に延び、ステータスロットのそれぞれは、第１スロット壁及び第２スロット壁を画成し、該第１スロット壁及び第２スロット壁は両方とも、互いに対して略平行であるとともに略周方向に離間した関係で、コア本体内へ略径方向に延び、第１スロット壁は、コアメイン周面に略隣接して配置された周方向に凹んだ第１壁凹所を有し、第２スロット壁は、スロット基部に略隣接して配置された周方向に凹んだ第２壁凹所を有するように構成されたステータスロットと；を備えていることを特徴とするステータコア、が提供される。
【００１９】
本発明のまたさらなる観点によれば、発電電動機械において：強磁性材料からなるコア本体であって、コア本体は、一対の軸線方向に対向するコア端面とコア端面の間に延びる略シリンダ状コアメイン周面とを画成するように構成されたコア本体と、コア本体において周方向に離間した、複数の略軸線方向に延びるステータスロットであって、ステータスロットは、コアメイン周面の方へ略径方向に突出する介在歯を画成し、ステータスロットのそれぞれは、対応するスロット基部からコアメイン周面まで径方向に延び、ステータスロットのそれぞれは、スロット基部から、スロット基部及びコアメイン周面の中間に配置されたスロット中間径方向位置まで径方向に延びるスロット第１セクションと、スロット中間径方向位置に略隣接するところからコアメイン周面の方へ径方向に延びるスロット第２セクションとを画成し、スロット第１及び第２セクションは、互いに連通し、かつ、互いに対して周方向にオフセットされた関係とされるように構成されたステータスロットと、を有するステータと；ステータスロットに埋設されたステータ巻線と；強磁性材料からなり、コアメイン周面とロータとの間に略シリンダ状ステータ−ロータギャップを画成するように配置されたロータであって、ロータは、ステータに対する回転移動のために支持され、ロータは、ステータ巻線にエネルギーが与えられたときにステータ−ロータギャップに生じる磁場と相互作用するための導電手段を含むように構成されたロータと；を備え、それにより、スロット第１及び第２セクションは、ステータ巻線の対応する導体セクションの挿入を容易にするように配置され、構成され、かつサイズ設定されて、対応する導体セクションを変形させる必要性を減少させている、ことを特徴とする発電電動機械、が提供される。
【００２０】
本発明のさらに他の観点によれば、類似したラミネーションプレートに位置合わせされかつスタックされたときに、発電電動機械の一部分であるステータのステータコアを形成するためのラミネーションプレートにおいて、ラミネーションプレートは：強磁性材料からなるプレート本体であって、プレート本体は、一対の軸線方向に対向するプレート端面とプレート端面の間に延びる略環状プレートメイン周面とを画成するように構成されたプレート本体と；プレート本体において周方向に離間した、複数の略軸線方向に延びるステータスロットであって、ステータスロットは、プレートメイン周面の方へ略径方向に突出する介在歯を画成し、ステータスロットのそれぞれは、対応するスロット基部からプレートメイン周面まで径方向に延びるように構成されたステータスロットと；を備え、ステータスロットのそれぞれは、スロット基部から、スロット基部及びプレートメイン周面の中間に配置されたスロット中間径方向位置まで径方向に延びるスロット第１セクションと；スロット中間径方向位置に略隣接するところからプレートメイン周面の方へ径方向に延びるスロット第２セクションと；を画成し、スロット第１及び第２セクションは、互いに連通し、かつ、互いに対して周方向にオフセットされた関係とされている、ことを特徴とするラミネーションプレート、が提供される。
【００２１】
本発明はさらに、ステータ巻線の導体セクション部分を発電電動機械のステータコアに取り付けるための方法において、導体セクションは、２つの略平行な導体側部と導体側部の２つの隣接する端部を接続する少なくとも１つの導体頭部とを有し；ステータコアは、一対の軸線方向に対向するコア端面とコア端面の間に延びる略シリンダ状コアメイン周面とを画成し；少なくとも２つの周方向に離間したステータスロットが、コア本体において略軸線方向に延び、ステータスロットは、コアメイン周面の方へ略径方向に突出する介在歯を画成し；ステータスロットのそれぞれは、対応するスロット基部からコアメイン周面まで径方向に延び、ステータスロットのそれぞれは、スロット基部から、スロット基部及びコアメイン周面の中間に配置されたスロット中間径方向位置まで径方向に延びるスロット第１セクションと、スロット中間径方向位置に略隣接するところからコアメイン周面の方へ径方向に延びるスロット第２セクションと、を画成し、スロット第１及び第２セクションは、互いに連通し、かつ、互いに対して周方向にオフセットされた関係とされ；導体側部の周方向で対向する側面間の距離は、少なくとも２つのステータスロットの周方向に隣接する側面間の距離よりも小さく；方法は：導体セクションを実質的に変形させることなく、導体側部の第１方をステータスロットの第１方におけるスロット第１セクション内に挿入し、導体側部の第２方をステータスロットの第２方におけるスロット第２セクション内に挿入するように、導体セクションを操作するステップ、を備えていることを特徴とする方法、に関するものである。
【００２２】
本発明の他の目的、利点、及び特徴は、単なる一例とされる好ましい実施例の以下の非限定的な説明を、添付図面を参照しつつ読むことにより、より明らかになるであろう。
【００２３】
以下、本発明の実施例を、一例として図面を参照しつつ説明する。
【発明を実施するための最良の形態】
【００２４】
図１４を参照すると、参照符号１０によって一般に指示された発電電動機械の一部分が概略的に示されている。本発明の実施例によれば、発電電動機械１０は、参照符号１２によって一般に指示されたステータコアを有している。機械１０はまた、ロータ２６を含んでいる。
【００２５】
本発明は、径方向内方側に配置されたステータと径方向外方側に配置されたロータとを有する電気機械の文脈で以下に説明されているが、本発明の発明概念は、機械のステータ部分に代えた機械のロータ部分についての他の文脈に対してや、他のタイプの構造を有する他のタイプの発電電動機械に対してさえも、本発明の範囲から逸脱することなく適用可能であることが理解されるべきである。
【００２６】
図面を通じて示された実施例において、ステータコア１２は、一般に強磁性材料からなるコア本体１４を有している。コア本体１４は、一対の軸線方向に対向するコア端面１６（そのうちの１つのみが図１４に示されている）と、コア端面１６同士の間に延びる略シリンダ状のコアメイン周面１８と、を画成している。また、図面を通じて示された実施例において、ステータコア１４はさらに、径方向で最も内側にあって略シリンダ状をなすコア補助周面１９を画成している。一般に、コア端面１６のそれぞれは、それによって略環状構造を有している。
【００２７】
コアメイン周面１８は、径方向外方側に配置されるものとして図面を通じて示されているが、コアメイン周面１８は、本発明の範囲から逸脱することなく径方向内方側に配置されうることが理解されるべきである。
【００２８】
ステータコア１２はまた、コア本体１４において周方向に離間した、複数の略軸線方向に延びるステータスロット２０を含んでいる。ステータスロット２０は、略径方向にコアメイン周面１８の方へ突出する介在歯２２を画成している。ステータスロット２０のそれぞれは、対応するスロット基部からコアメイン周面１８まで径方向に延びている。
【００２９】
機械１０はまた、ステータスロット２０に埋設されたステータ巻線を含んでいる。図１３は、以下により詳細に説明される、一例として開示されたステータ巻線の一部分である巻線セクション２４を示している。しかしながら、他のタイプの構造を有する他のタイプの巻線が、本発明の範囲から逸脱することなく使用されうることが理解されるべきである。
【００３０】
図１によく見ることができるように、一般に強磁性材料からなりかつ永久磁石２７を含んだロータ２６が、コアメイン周面１８と磁石２７の隣接面との間に、略シリンダ状のステータ−ロータギャップ２８を画成するように配置されている。ロータ２６は、ステータ１４に対する回転移動のために支持されている。もちろん、磁石２７は、本発明の範囲から逸脱することなく巻線によって交換されうる。
【００３１】
一般に、ステータ１４は、ステータラミネーションプレート（図示せず）からなっている。ステータラミネーションプレートは、一般に、ステータ１４をそれぞれ形成するように互いに位置合わせされかつスタックされている。
【００３２】
本発明によるステータコア１２の特徴の１つは、ステータスロット２０のそれぞれが典型的にスロット第１セクション３０及びスロット第２セクション３２を画成していることである。スロット第１セクション３０は、スロット基部から、スロット基部及びコアメイン周面１８の中間に配置されたスロット中間径方向位置まで、略径方向に延びている。スロット第２セクション３２は、スロット中間径方向位置に略隣接するところからコアメイン周面１８の方へ略径方向に延びている。
【００３３】
スロット第１及び第２セクション３０、３２は、互いに連通している一方、互いに対して周方向にオフセットされている。さらにまた、スロット第１及び第２セクション３０、３２は、その中へのステータ巻線の対応する導体セクション部分の挿入を容易にするように配置され、構成され、かつサイズ設定されていて、以下で説明されるように導体セクションを変形させる必要性を減少させる。
【００３４】
図１により詳細に説明されるように、スロット第１及び第２セクション間の周方向オフセットは、セクションオフセット角度３４に関して表現されうる。添付図面に示されたセクションオフセット角度３４は、一般に、約０．２１度の値を有している。
【００３５】
各ステータスロット２０は、一般に、対応するスロット第１及び第２セクション３０、３２間に延びるスロット中間セクション３６をさらに画成している。スロット中間セクション３６は、一般に、径方向に延びるスロット第１及び第２セクション３０、３２に対して実質的に所定の角度をなすように延びている。
【００３６】
スロット第１セクション３０は、一般に、略長方形の断面構造を有している。スロット第１セクション３０はしたがって、一般に、略フラットなスロット基部壁３８と、略フラットな第１セクション第１壁４０と、略フラットな第１セクション第２壁４２とを画成している。第１セクション第１及び第２壁４０、４２は両方とも、略径方向に延びており、互いに対して略周方向に対向する関係とされ、かつ、スロット基部壁３８に対して略垂直となる関係とされている。
【００３７】
同様に、スロット第２セクション３２はまた、一般に、略長方形の断面構造を有している。スロット第２セクション３２はしたがって、一般に、略フラットな第２セクション第１壁４４と、略フラットな第２セクション第２壁４６とを画成している。第２セクション第１及び第２壁４４、４６は両方とも、略径方向に延びており、互いに対して略周方向に対向する関係とされ、かつ、スロット基部壁３８に対して略垂直となる関係とされている。
【００３８】
言い換えると、各ステータスロット２０は、代替的に、図１の左側にある一例として示された第１スロット壁と図１の右側にある一例として示された第２スロット壁とを一般に有するものとして記載されうる。スロット第１及び第２壁は両方とも、互いに対して略平行であるとともに周方向に離間した関係で、コア本体１４内へ略径方向に延びている。
【００３９】
第１スロット壁は、代替的に、コアメイン周面１８に略隣接して配置された周方向に凹んだ第１壁凹所を有するものとして記載されうる一方、第２スロット壁は、スロット基部壁３８に略隣接して配置された周方向に凹んだ第２壁凹所を有している。
【００４０】
図１１及び１２により詳しく示されているように、本発明の少なくとも１つの実施例では、第１及び第２セクション第１壁４０、４４は、０．０２７６インチの第１周方向オフセット距離４８によって互いに対してオフセットされている。同様に、第１及び第２セクション第２壁４２、４６は、約０．０２７６インチの第２周方向オフセット距離５０によって互いに対してオフセットされている。
【００４１】
図１に戻ると、中間セクション３６が、一般に、第１中間壁部分５２と第２中間壁部分５４とを含んでいることが示されている。第１中間壁部分５２は、第１及び第２セクション第１壁４０、４４の間に延びている一方、第２中間壁部分５４は、第１及び第２セクション第２壁４２、４６の間に延びている。
【００４２】
第１及び第２中間壁部分５２、５４は、一般に、第１及び第２セクション第１壁４０、４４と第１及び第２セクション第２壁４２、４６とのそれぞれに対して、類似した中間セグメント−壁角度５６（図１１参照）により、角度を付けられている。図面を通じて示された一例としての実施例では、中間セグメント−壁角度５６は、約１３５度の値を有している。
【００４３】
図面を通じて示される実施例では、図１０及び１２を除き、第１及び第２中間壁セグメントが、略径方向で互いに見当合わせされている。図１０及び１２に示された実施例では、第１及び第２中間壁部分５２、５４は、径方向オフセット距離により、互いに対して径方向にオフセットされている。一般に、径方向オフセット距離は、第２セクション第１壁４４と第１中間壁部分５２との間の交差部が、第１セクション第２壁４２と第２中間壁部分５４との間の交差部に略径方向で見当合わせされるようにしている。
【００４４】
ステータコア１２は、一般に、少なくとも１つの及び一般には全てのステータスロット２０に作動可能に結合された巻線セクション保持手段をさらに備えており、ステータスロット内に配置された対応する巻線セクションを径方向に保持する。図面を通じて示されたものでは、保持手段が、対応するステータスロット２０内に略軸線方向で延びるように取り付け可能な保持プレート５７を含んでおり、その中に取り付け可能な対応する巻線セクションが、スロット基部壁３８と保持プレート５７との間に配置可能となっている。
【００４５】
一般に、スロット第２セクション３２は、コアメイン周面１８に隣接して配置された保持セグメント５８を画成している。保持セグメント５８は、そこに形成された一対の対向する保持溝を有しており、保持プレート５７の対応する周辺部分を受け入れて保持する。
【００４６】
一般に、保持セグメント５８は、略フラットな保持セクション第１壁６０と、周方向に対向する略フラットな保持セクション第２壁６２とを画成している。第１保持溝６４は、一般に、保持セクション第１壁６０に形成され、第２保持溝６６は、一般に、保持セクション第２壁６２に形成されている。
【００４７】
一般に、保持セクション第１壁６０は、第１セクション第１壁４０に略周方向で見当合わせされるか、あるいは略径方向で位置合わせされ、保持セクション第２壁６２は、第２セクション第２壁４６に略周方向で見当合わせされるか、あるいは略径方向で位置合わせされる。また、一般に、第１保持溝６４は、第２セクション第１壁４４に一体的に結合している。一般に、決して排他的ではないが、第１及び第２保持溝６４、６６は両方とも、コアメイン周面１８の方へ導かれる方向で内方側にテーパ状となっている。
【００４８】
図１１及び１２により詳しく示されているように、第１及び第２セクション第１及び第２壁４０、４２、４４及び４６は、一般に、略共通のかつ略径方向に方向付けられたセクション高さ６８を画成している。第１セクション第１及び第２壁４０、４２と、第２セクション第１及び第２壁４４、４６とは、それらの間にそれぞれ、略周方向に方向付けられた第１−２壁間隔７０を画成している。
【００４９】
セクション高さ６８と第１−２壁間隔７０とは、一般に、高さ−間隔比率によって互いに関連している。図面を通じて示された実施例では、高さ−間隔比率が、約１．２３の値を有している。また、図面を通じて示された実施例では、第１−２壁間隔７０が、約０．２２８４インチの値を有している。さらにまた、図面を通じて示された実施例では、ステータスロット２０のそれぞれが、スロット基部壁３８とコアメイン周面１８との間の対応するスロット深さを画成している。スロット深さは、約０．７１１９インチの値を有するものとして例示されている。
【００５０】
図１０及び１２を除く図面を通じて示された本発明の実施例では、第１及び第２中間壁セグメント５４、５６が、中間壁セグメント径方向距離７２にわたっている。中間壁セグメント径方向距離７２は、一般に、約０．０５５２インチの値を有している。
【００５１】
また、ステータコア１２は、一般に、軸線方向に延びるステータ中心軸線７６を画成している。コアメイン周面１８は、ステータ中心軸線７６から約７．９０３１インチの外側径方向距離で配置されている一方、コア補助周面１９は、ステータ中心軸線７６から約６．７９１３インチの内側径方向距離で配置されている。
【００５２】
一般に、ステータ巻線（その一部分のみが示されている）は、複数の巻線セクション２４を含んでいる。一般的な巻線セクション２４の一例が、図１３に示されている。各巻線セクション２４は、一般に、略長方形断面の２つの平行な導体側部７８、７９を含んでおり、該導体側部７８、７９は、ステータスロット２０のうちの２つにそれぞれ嵌り込むように構成され、かつサイズ設定されている。
【００５３】
各巻線セクション２４はまた、少なくとも１つの及び一般には２つの、略長方形断面の導体頭部８０を含んでおり、該導体頭部８０は、導体側部７８、７９の２つの隣接する端部を接続している。各巻線セクション２４はさらに、一般に、隣接する巻線セクション２４の他の巻線リード８２、８４に対する後の接続のために、巻線セクション２４の始め及び終わりのそれぞれに巻線リード８２、８４を含んでいる。
【００５４】
図面を通じて示された実施例では、各巻線セクション２４は、同一の軸線方向に延びる巻線リード８２、８４を有した５つの巻線ターン９０を含んでいる。しかしながら、巻線セクション２４は、本発明の範囲から逸脱することなく、同一のあるいは反対の軸線方向に延びる巻線リード８２、８４を有した任意の適切な数のターン９０からなりえることが理解されるべきである。
【００５５】
また、各ターン９０は、例えば従来の絶縁ワニスのような適切なコーティング材料のターンコーティング層８６でコーティングされたものとして示されている。さらにまた、各巻線セクション２４は、厚紙などのような適切なコーティング材料からなる適切なセクションコーティング層８８で包まれたものとして示されている。層８８は、オプションであって、特定の場合には省略されうることに留意されたい。
【００５６】
少なくとも１つの及び一般には両方の導体頭部８０は、一般に、軸線方向に及び／または径方向に及び／または周方向に湾曲する略複合形状構造を有している。図１３に示された実施例では、少なくとも１つの及び好ましくは両方の導体頭部８０は、導体側部７８、７９によって形成される平面に垂直な上面図から見たときに、略Ｕ字形状の本体を示している。
【００５７】
少なくとも１つの及び好ましくは両方の導体頭部８０は、導体側部７８、７９によって形成される平面に含まれる正面図から見たときに、略水平に配置された「Ｓ」の形をなす略波型形状を示している。少なくとも１つの及び好ましくは両方の導体頭部８０は、頂部及び底部対向表面を有しており、頂部導体頭部表面は、導体側部７８、７９によって形成される平面のうちの一方側のみを向き、底部導体頭部表面は、その反対側を向いている。
【００５８】
本発明はまた、発電電動機械のステータコア上にステータ巻線の導体セクション２４部分を取り付けるための方法に関するものである。図２〜９により詳しく示されているように、少なくとも部分的に外方側へ扇形に広がるステータスロット２０のため、導体側部７９、７８の周方向で対向する側面９４間の距離９２は、２つの対応するステータスロット２０の周方向に隣接する側面間の距離９６よりも小さい。
【００５９】
図２〜９に示された実施例では、所定の巻線セクション２４の導体側部７８、７９を受け入れるステータスロット２０が、６つのステータスロット２０によって周方向に離間している。しかしながら、導体側部７８、７９は、本発明の範囲から逸脱することなく、任意の適切な数のステータスロット２０によって周方向に離間していてもよいことが理解されるべきである。
【００６０】
本発明による方法は、ステータセクション２４を実質的に変形させることなく、最終的に、導体セクション側部の第１方（以下、第１導体側部７９と称する）をステータスロット２０の対応する第１方におけるスロット第１セクション３０内に配置し、導体側部の第２方（以下、第２導体側部７８と称する）をステータスロット２０の対応する第２方における第２スロットセクション３２内に配置するように、ステータセクション２４を操作することを含んでいる。上述しかつ図９に示すように一旦配置されると、第１及び第２導体側部７９、７８は、それぞれそれらのいわゆる作動位置となる。
【００６１】
導体セクション２４の操作は、一般に、いくつかのステップを含んでいる。図２に示されているように、最初のステップは、第１導体側部７９をその対応するステータスロット２０内に少なくとも部分的に挿入することを含んでいる。必然的ではないが、一般に、第１導体側部７９は、第２導体側部７８が第１導体側部７９に対して周方向にオフセットされた関係でその対応するスロット２０の近位に配置されるまで、径方向に並進される。
【００６２】
図３に示されているように、第１導体側部７９は、それから保持セクション第１壁６０をクリアにするよう操作される一方、第２導体側部７８は、コアメイン周面１８に対して径方向外方側に配置されたままとされる。第１導体側部７９は、ついには、そのステータスロット２０のスロット第２セクション３２にスライド可能に挿入される。
【００６３】
図３に示されているように、第１導体側部７９が保持セクション第１壁６０をクリアにするのを許容するための操作は、一般に、導体セクション２４を第１導体側部７９に関して旋回することが必要である。図２〜９に示された構造では、導体セクション２４は、第１導体側部７９に関して時計回りに旋回される。
【００６４】
図４に示されているように、導体セクション２４は、それから、ステータスロット２０に対する最初の径方向位置合わせ状態まで逆に旋回される。スロット第１セクション３２内への第１導体側部７９の配置は、第２導体セクション７８がその対応するステータスロット２０に略周方向で見当合わせされることを許容する。
【００６５】
図５に示されているように、第１及び第２導体セクション７９、７８がそれらの対応するステータスロット２０に周方向で見当合わせされた状態になると、導体セクション２４は、スロット基部壁３８の方へ径方向にスライドされる。径方向に扇形に広がるステータスロット２０のため、対応するステータスロット２０に対する第１導体側部７９の位置は、図４及び５において、第１導体側部７９がステータスロット２０の第１のあるいは左側の壁に隣接して配置される位置から、第１導体側部７９が第２のあるいは右側の壁に隣接して配置される位置まで変化することに留意すべきである。
【００６６】
図６及び７に示されているように、第１及び第２導体側部７９、７８を図８に示されたそれらのそれぞれの作動位置に径方向で配置するのを容易にするために、導体セクション２４は一般に、再び第１導体側部７９に関して時計回り方向に回転され、それからそのオリジナルの径方向位置合わせ状態の方へ向けて逆に回転される。
【００６７】
第２導体側部７８は、他の導体セクション２４（その一部分のみが示されている）における既に挿入された第１導体側部７９’部分に対して、実質的にオフセットされかつ上に横たわる関係で配置されることに留意すべきである。
【００６８】
図９に示されているように、一旦、スロット第１セクション３０内における第１導体セクション２４の第１導体側部７９’と、同一のステータスロット２０のスロット第２セクション３２内における他の導体セクションの第２導体側部７８とによって、所定のステータスロット２０がふさがれたならば、保持プレート５７が、保持セクション６２の対応する第１及び第２保持溝６４、６６内で作動位置となる。ステータスロット２０は、対応する第１及び第２導体側部７９’、７８がそれぞれその中に挿入されるスロット第１及び第２セクション３０、３２のみを有するものとして図面を通じて示されているが、ステータスロット２０は、本発明の範囲から逸脱することなく、導体側部の対応する組を受け入れるための任意の適切な数の周方向にオフセットされたスロットセクションを備えうることが理解されるべきである。
【００６９】
明瞭さの目的のため、絶縁紙層８８は、図２〜９には示されていないことに留意されたい。
【００７０】
図１に類似する添付図面の図１０を簡単に参照して、本発明の代替実施例を説明する。この代替実施例は上述した実施例に非常に類似しているため、主たる違いのみが以下で説明される。
【００７１】
主な違いは、一旦スロット１２０内に挿入されたときの導体側部７８及び７９’間の間隔である。実際、図１０から分かるように、２つの導体セクションが、非常に近接しており、紙１２１の絶縁層によって分離されている。この近接した関係は、図１のスロット２０の対応するセクション３０及び３２に関してセクション１３０及び１３２の径方向長さを減少させることによって許容されている。
【００７２】
他の違いは、セクション７８及び７９の前にスロット１２０内に挿入された絶縁紙１８８に関連している。
【００７３】
当業者によって理解されるように、ここに付与された寸法値は、単なる一例であって、本発明の範囲を限定することを意図したものではない。
【００７４】
本発明は、その好ましい実施例によって上述されたが、添付の請求項で規定された本発明の思想及び性質から逸脱することなく修正されうる。
【図面の簡単な説明】
【００７５】
【図１】本発明の実施例による発電電動機械ステータの一部分であるステータスロットを示す部分横断面図であり、ステータスロットに一対のコイル側部が取り付けられた図である。
【図２】本発明の実施例による発電電動機械ステータの周方向セクションを示す部分断面図であり、周方向セクションにコイルが取り付けられ、右側コイルセクションが対応するスロットに挿入された図である。
【図３】コイルが取り付けられた周方向セクションを示す図２に類似した図であり、右側コイルセクションが遠位の周方向にオフセットされたスロットセクションに挿入された図である。
【図４】コイルが取り付けられた周方向セクションを示す図２に類似した図であり、左側コイルセクションが対応するスロットに挿入された図である。
【図５】コイルが取り付けられた周方向セクションを示す図２に類似した図であり、左側及び右側コイルセクションがそれらの対応するスロットに径方向に押し込まれた図である。
【図６】コイルが取り付けられた周方向セクションを示す図２に類似した図であり、左側及び右側コイルセクションがそれらの対応するスロットにより深く挿入されかつ同時に回転された図である。
【図７】コイルが取り付けられた周方向セクションを示す図２に類似した図であり、左側及び右側コアセクションがそれらのそれぞれの作動位置に近接して配置された図である。
【図８】コイルが取り付けられた周方向セクションを示す図２に類似した図であり、左側及び右側コアセクションがそれらのそれぞれの作動位置とされた図である。
【図９】コイルが取り付けられた周方向セクションを示す図２に類似した図であり、保持プレートが左側のふさがれたスロットに取り付けられた図であっる。
【図１０】本発明の代替実施例による発電電動機械ステータの周方向セクションを示す部分断面図である。
【図１１】本発明の実施例による発電電動機械ステータの一部分であるステータスロットを示す部分横断面図であり、ステータスロットに一対のコイル側部が取り付けられ、寸法値の一例が付与された図である。
【図１２】本発明の代替実施例による発電電動機械ステータの周方向セクションを示す部分断面図であり、寸法値の一例が付与された図である。
【図１３】本発明の実施例による発電電動機械のステータ巻線の巻線セクション部分を示す斜視図である。
【図１４】本発明の実施例による発電電動機械の一部分を示す部分斜視図である。
【符号の説明】
【００７６】
１０  発電電動機械
１２  ステータコア
１４  コア本体
１６  コア端面
１８  コアメイン周面
１９  コア補助周面
２０  ステータスロット
２２  介在歯
２４  巻線セクション
２６  ロータ
２７  磁石
３０  スロット第１セクション
３２  スロット第２セクション
３４  セクションオフセット角度
３６  スロット中間セクション
３８  スロット基部壁
４０  第１セクション第１壁
４２  第１セクション第２壁
４４  第２セクション第１壁
４６  第２セクション第２壁
４８  第１周方向オフセット距離
５０  第２周方向オフセット距離
５２  第１中間壁部分
５４  第２中間壁部分
５６  中間セグメント−壁角度
５７  保持プレート
５８  保持セグメント
６０  保持セクション第１壁
６２  保持セクション第２壁
６４  第１保持溝
６６  第２保持溝
６８  セクション高さ
７０  第１−２壁間隔
７２  中間壁セグメント径方向距離
７６  ステータ中心軸線
７８  導体側部
７９  導体側部
７９’  導体側部
８０  導体頭部
８２  巻線リード
８４  巻線リード
８６  ターンコーティング層
８８  セクションコーティング層
９０  ターン
９２  距離
９４  側面
９６  距離
【図１】
2007512797.tif 000003
【図２】
2007512797.tif 000004
【図３】
2007512797.tif 000005
【図４】
2007512797.tif 000006
【図５】
2007512797.tif 000007
【図６】
2007512797.tif 000008
【図７】
2007512797.tif 000009
【図８】
2007512797.tif 000010
【図９】
2007512797.tif 000011
【図１０】
2007512797.tif 000012
【図１１】
2007512797.tif 000013
【図１２】
2007512797.tif 000014
【図１３】
2007512797.tif 000015
【図１４】
2007512797.tif 000016
【国際調査報告】
2007512797.tif 000017
2007512797.tif 000018